(57)【要約】      （修正有）【課題】自動車の振動に対して、シールド効果が得られるシールドプレートを提供する。【解決手段】電気コネクタ（１０）は、軸方向（Ａ）に沿って延在する少なくとも１本の電気ケーブル（３０）を収容する、コネクタハウジング（１）と、コネクタハウジング（１）を周方向（Ｕ）で軸方向（Ａ）まわりに完全に包囲する、シールドプレート（２）と、を備える。コネクタハウジング（１）は、外面（１ａ）に、対応コネクタとの差込結合状態で遊びを画定する遊び画定要素（５）を有し、シールドプレート（２）は、切欠き（４ａ）を有し、遊び画定要素（５）は、コネクタハウジングから突出していて、かつシールドプレート（２）の切欠き（４ａ）を通って突出しており、かつ／または遊び画定要素は、コネクタハウジング切欠きとしてコネクタハウジング（１）に形成されていて、かつ切欠き（４ａ）に接している。【選択図】図１
2019129155.tif 000002
【特許請求の範囲】
【請求項１】
相補的な対応コネクタと差込結合する電気コネクタであって、
前記コネクタは、
軸方向（Ａ）に沿って延在する少なくとも１本の電気ケーブル（３０）を収容する、コネクタハウジング（１）と、
前記コネクタハウジング（１）を周方向（Ｕ）で軸方向（Ａ）まわりに完全に包囲する、シールドプレート（２）と、
を備える、電気コネクタにおいて、
前記コネクタハウジング（１）は、外面（１ａ）に、前記対応コネクタとの差込結合状態での遊びを画定する遊び画定要素（５）を有し、
前記シールドプレート（２）は、切欠き（４ａ）を有し、
前記遊び画定要素（５）は、前記コネクタハウジング（１）から突出していて、かつ前記シールドプレート（２）の前記切欠き（４ａ）を通って突出しており、かつ／または
前記遊び画定要素（５）は、コネクタハウジング切欠きとして前記コネクタハウジング（１）に形成されていて、かつ前記切欠き（４ａ）に接している
ことを特徴とする、電気コネクタ。
【請求項２】
前記コネクタ（１０）は、前記コネクタハウジング（１）に配置されたシールドされた少なくとも１本の電気ケーブル（３０）を有し、
前記コネクタ（１０）は、特に、最低１００Ｍｂｉｔ／ｓまたは最低１ＧＢｉｔ／ｓまたは最低１００ＧＢｉｔ／ｓのデータレートを転送するために使用することに適している、かつ／または
前記コネクタ（１０）は、特に、最小１０Ａまたは最小５０Ａの電流を伝送する高電流用途で使用することに適している、請求項１記載の電気コネクタ。
【請求項３】
前記コネクタハウジング（１）は、前記外面（１ａ）に、前記対応コネクタとの差込結合状態で遊びを画定する別の遊び画定要素（６）を有し、
前記シールドプレート（２）は、別の切欠き（４ｂ）を有し、
前記別の遊び画定要素（６）は、前記コネクタハウジング（１）から突出していて、かつ前記シールドプレート（２）の前記別の切欠き（４ｂ）を通って突出しており、かつ／または
前記別の遊び画定要素（６）は、別のコネクタハウジング切欠きとして前記コネクタハウジング（１）に形成されていて、かつ前記別の切欠き（４ｂ）に接している、請求項１または２記載の電気コネクタ。
【請求項４】
前記コネクタ（１）は、プラスチックまたは非導電性のプラスチックから形成されている、請求項１から３までのいずれか１項記載の電気コネクタ。
【請求項５】
前記遊び画定要素（５）は、軸方向（Ａ）に沿って見て、前記コネクタハウジング（１）の第１の遠端部（７）に配置されており、
特に前記別の遊び画定要素（６）は、前記第１の遠端部（７）に配置されている、請求項１から４までのいずれか１項記載の電気コネクタ。
【請求項６】
前記別の遊び画定要素は、周方向（Ｕ）に見て前記遊び画定要素に対して相対的に１６０°〜２００°ずらして前記コネクタハウジング（１）に配置されている、請求項２から４までのいずれか１項記載の電気コネクタ。
【請求項７】
特に前記シールドプレート（２）の前記切欠き（４ａ）は、前記遊び画定要素（５）を密接して包囲しており、
前記シールドプレート（２）の前記別の切欠き（４ｂ）は、前記別の遊び画定要素（６）を密接して包囲している、請求項１から６までのいずれか１項記載の電気コネクタ。
【請求項８】
前記シールドプレート（２）は、前記第１の遠端部（７）とは反対の側の第２の遠端部（８）に、前記コネクタ（１０）と接続可能な対応コネクタの対応コネクタ遊び画定要素を収容するために、少なくとも１つの第３の切欠き（４ｃ）を有する、請求項４から６までのいずれか１項記載の電気コネクタ。
【発明の詳細な説明】
【技術分野】
【０００１】
本発明は、電気コネクタに関する。
【０００２】
背景技術
背景技術において、対応コネクタと差込結合するための電気コネクタが知られている。たとえば自動車分野では、たとえば自律走行車を実現するために、増加するネットワーク形性および増加するセンサの数に関連して、データ転送ライン、たとえばイーサネット接続部用のこの種のコネクタがますます重要となっている。最小１０Ａの高電流を伝送するためのコネクタもますます多く使用される。
【０００３】
この場合、たとえば高いデータ転送レート、または高電流、またはこの種のラインの傍に配置されたコネクタでは、シールドされたライン系統の他に、コネクタの領域までにシールドもさらに延ばして、コネクタのコネクタハウジングを金属薄板部材、つまりシールドプレートで包囲する必要がある。これにより、いわゆるＥＭＣ（電磁両立性）を改善することが可能である。換言すると、ケーブル内の信号の影響は、他の電気素子または電子素子へクロストークされず、その逆にケーブル内で信号が他のコンポーネントの電磁放射により影響されない。このことは、たとえばイーサネット・コネクタにおいて個々のイーサネット接続部がより大きなハウジング内におけるシールドされたハウジング部分または高電流の伝送のために使用されるシステムに装入可能である形態にも当てはまる。
【０００４】
独国特許出願公開第１９９３５９９４号明細書において、シールドプレートを有する、差込み可能なデータ接続ラインを形成する電気コネクタが公知である。
【０００５】
発明の開示
本発明は、より高い振動要求を得るために、コネクタハウジングと、コネクタに対応する対応コネクタのマルチコネクタまたはシングルコネクタとの間の遊びを画定するまたは規定通りに調整するまたはたとえばプレス嵌めにより完全に除去することが有利であるという認識から出発する。この場合、用途に応じて、同一のコネクタを、たとえば高いまたは低いデータ転送レートまたは高いまたは低い電流に対して使用すべきで場合が生じ得る。低いＥＭＣ要求での用途においてシールドプレートを省略することにより、コスト面での利点を得ることが可能である。しかし、シールドプレートをそのように省略することにより、コネクタハウジングの外寸が削減され、この点においてインタフェースにおける動作への影響をコネクタが有することより、コネクタハウジングの外側輪郭に影響が及ぼされる。
【０００６】
したがって電気コネクタを、相補的な対応コネクタと差込結合するために準備する必要が生じ得、この場合、コネクタは、シールドプレートを有し、ただし任意選択的にはＥＭＣ要求が小さいときにシールドプレートなく使用することも可能であり、コネクタは、対応する対応コネクタと差込結合可能であり、コネクタシステムが形成される。この場合、コネクタと対応コネクタとの差込結合状態で、インタフェースまたは対応コネクタのハウジングにおけるコネクタのコネクタハウジングの遊びまたは押付けは、コネクタにおけるシールドプレートの使用とは無関係であるべきである。
【０００７】
発明の効果
この要求は、独立請求項に記載の本発明の対象により考慮することが可能である。本発明の好適な実施の形態は、従属請求項に記載されている。
【０００８】
本発明の第１の形態によれば、相補的な対応コネクタと差込結合する電気コネクタが提案される。コネクタは、対応コネクタと差込結合されて、これにより次いでコネクタシステムが得られるように構成されている。コネクタは、
軸方向に沿って延在する少なくとも１本の電気ケーブルを収容する、コネクタハウジングと、
コネクタハウジングを周方向で軸方向まわりに完全に包囲する、シールドプレートと、
を備える。
このようなコネクタにおいて、コネクタハウジングは、外面に、対応コネクタとの差込結合状態で遊びを画定する遊び画定要素を有し、
シールドプレートは、切欠きを有し、
遊び画定要素は、コネクタハウジングから突出していて、かつシールドプレートの切欠きを通って突出している。代替的にまたは追加的に、遊び画定要素は、コネクタハウジング切欠きとしてコネクタハウジングに形成されていて、かつ切欠きに接している。
【０００９】
シールドプレートにもかかわらずアクセス可能な遊び画定要素をコネクタハウジングに設けることにより、好適には、対応コネクタとの差込結合状態で（つまりコネクタと対応コネクタとから成るコネクタシステムが形成されるとき）コネクタハウジングの遊びまたは押付けを、シールドプレートの使用にかかわらず的確に調整しかつ最小化することが可能である。シールドプレートを有するコネクタが使用されると、シールドプレートに設けられた切欠きによりシールドプレートのシールド効果があまり低減されないことが保証される。
【００１０】
シールドプレートが組み付けられていなくてもコネクタを使用し、その際にそれにもかかわらず対応コネクタとの差込結合状態で、高められた機械負荷（たとえば振動または温度変動）にも耐えることが可能であることにより、コネクタは、好適にはモジュール式に使用可能なシステムとして特に低コストで簡単に製作することが可能である。もちろん、コネクタは、シールドプレートが組み付けられていても、対応コネクタとの差込結合状態で、規定通りの小さな遊びを有する。
【００１１】
たとえばシールドプレートにおける切欠きは、最大１０ｍｍ2または最大２ｍｍ2または最大１ｍｍ2または最大０．５ｍｍ2または最大０．２ｍｍ2の面積を有することが可能である。シールドプレートにおける切欠きは、たとえば長方形または正方形の形状を有することが可能である。切欠きは、シールドプレートにおけるたとえばある種のスリットとして形成することが可能である。切欠きは、導入傾斜部または導入ホッパを有することが可能であり、これによりシールドプレートは、コネクタハウジングに組み付けるとき、たとえばコネクタハウジングに被嵌することが可能であり、その際、切欠きは、簡単に、自動調心式にかつ位置正確に遊び画定要素まわりに設けられる。
【００１２】
たとえば遊び画定要素は、ピンとして構成することが可能である。ピンは、たとえば対応コネクタの対応コネクタハウジングの、対応する切欠きまたは溝と協働し、たとえば力接続式にまたは摩擦接続式にそのような切欠きまたは溝の１つに収容することが可能である。対応コネクタの対応コネクタハウジングの（精密に許容される）面との協働も可能である。このようにして、差込結合状態で、コネクタと対応コネクタとの間の軸方向、径方向および周方向の遊びを好適に画定することが可能である。
【００１３】
代替的にまたは追加的に、コネクタハウジングにコネクタハウジング切欠きとして遊び画定要素が形成されるとき、この切欠きは、対応する対応コネクタ遊び画定要素、たとえば対応コネクタハウジングから突出するピンと協働することが可能である。
【００１４】
原則として、遊び画定要素は、突出部、たとえばピンとしても、コネクタハウジング切欠きとしても構成することが可能であり、この場合、突出部および切欠きは、たとえば周方向に見て相並んで配置されていて、かつシールドプレートにおける同一の切欠きに対応付けられている。したがって対応コネクタハウジングにおける対応する切欠き・突出部・組み合わせにより、差込結合状態で特に安定した確実な遊びの画定をもたらすことが可能である。
【００１５】
コネクタハウジングにおける遊び画定要素の的確な位置決めおよび構成（たとえば長さ、幅、厚さ、形状）により、さらに好適には、コネクタと対応コネクタとの誤った差込結合を阻止する、またはコネクタと、このコネクタに対して設けられていない対応コネクタとの差込結合を阻止するポカヨケ手段を実現することが可能である。
【００１６】
コネクタが、コネクタハウジングに配置されたシールドされた少なくとも１本の電気ケーブルを有することにより、機械負荷（たとえば振動）に対して特に丈夫でぐらつき接触なく構成された、かつＥＭＣの影響に対して特に良好に防護された、特に高性能のコネクタが提供される。
【００１７】
コネクタは、最低１００Ｍｂｉｔ／ｓまたは最低１ＧＢｉｔ／ｓまたは最低１００ＧＢｉｔ／ｓのデータレートを転送するために使用することに適しているように構成することが可能である。
【００１８】
代替的にまたは追加的に、コネクタは、たとえば最小１０Ａまたは最小５０Ａまたはそれどころか最小１００Ａの電流を伝送するための高電流用途で使用することに適しているように構成することが可能である。
【００１９】
１改良形態によれば、コネクタハウジングは、外面に、対応コネクタとの差込結合状態で遊びを画定する別の遊び画定要素を有し、シールドプレートは、別の切欠きを有し、別の遊び画定要素は、コネクタハウジングから突出していて、かつシールドプレートの別の切欠きを通って突出している。
【００２０】
代替的にまたは追加的に、別の遊び画定要素は、別のコネクタハウジング切欠きとしてコネクタハウジングに形成されていて、かつ別の切欠きに接している。
【００２１】
これにより、好適には、遊びの自由度がさらに改善される。というのも２つの遊び画定要素を設けることにより、軸方向まわりの回動としての、つまり周方向での、コネクタと対応コネクタとの間の遊びも特に効果的に画定される。この場合、使用されるコネクタのシールドプレートの有無は重要ではない。というのも遊びが遊び画定要素により調整されるまたは画定されるからである。
【００２２】
コネクタハウジングが、プラスチックまたは非導電性のプラスチックから形成されていることにより、コネクタは、特に簡単に低コストで製作することが可能である。
【００２３】
たとえばコネクタハウジングは、ポリアミド、ポリプロピレン、ポリエチレンなどのグループから選択されるプラスチックを特に大部分で含んでよい。
【００２４】
遊び画定要素が、軸方向に沿って見て、コネクタハウジングの第１の遠端部に配置されており、たとえば別の遊び画定要素も、第１の遠端部に配置することが可能であることにより、好適には、シールドプレートのシールド効果が特に少ししか損なわれない。たとえばこれにより、シールドを対応コネクタの別のシールドにより引き受けて、１つまたは複数の切欠きをカバーすることが可能である。同時に、対応コネクタとの差込結合に際して、コネクタと対応コネクタとが相互に適合しているかどうか直接に触覚に基づき確認することが可能である（ポカヨケ）。
【００２５】
別の遊び画定要素が、周方向に見て、遊び画定要素に対して相対的に１６０°〜２００°ずらしてコネクタハウジングに配置されていることにより、両方の遊び画定要素が小さな幾何学的な寸法しか有しない場合であっても、好適には、たとえば軸方向まわりのまたは軸方向に対して横向きの回動に対して特に良好な遊びの画定がもたらされる。
【００２６】
シールドプレートの切欠きが、遊び画定要素を密接して包囲しており、たとえばシールドプレートの別の切欠きが、別の遊び画定要素を密接して包囲していることにより、シールドプレートのシールド効果が特に少ししか損なわれない。
【００２７】
この場合、シールドプレートの切欠きは、遊び画定要素の寸法に対してたとえば最大１ｍｍまたは最大０．５ｍｍまたは最大０．１ｍｍより広く（径方向で）かつ／またはより高く（軸方向で）形成することが可能である。このことは、別の遊び画定要素の寸法に対して相対的な別の切欠きについても同様に当てはまる。
【００２８】
シールドプレートが、コネクタと接続可能な対応コネクタの対応コネクタ遊び画定要素を収容するために、第１の遠端部とは反対の側の第２の遠端部に、少なくとも１つの第３の切欠きを有することにより、好適には、特に良好な遊び画定および振動に対する特に高い頑強性がもたらされる。
【００２９】
特にこれにより差込結合状態で傾動に対する遊びを好適に低減することが可能である。このことは、シールドプレートが組み付けられていてもシールドプレートが組み付けられていなくても当てはまる。
【００３０】
原則として、シールドプレートが、コネクタと接続可能な対応コネクタの別の対応コネクタ遊び画定要素を収容するために、第２の遠端部に第４の切欠きを有することも可能である。第４の切欠きおよび別の遊び画定要素は、周方向に見て、第３の切欠きおよび対応コネクタ遊び画定要素に対してたとえば１６０°〜２００°ずらして配置することが可能である。
【００３１】
本発明の別の特徴および利点は、専門家には、添付の図面に関連して、発明を限定するものとしては解されない例示的な実施の形態の以下の説明から明らかである。
【図面の簡単な説明】
【００３２】
【図１】電気コネクタの概略斜視図である。
【００３３】
図１は、差込み可能なデータ接続ラインを形成する電気コネクタ１０を例示している。コネクタ１０は、ここでは２極のコネクタハウジング１を有する。コネクタハウジング１は、ここでは、例示したに過ぎないが、略長方形の横断面を有する。しかも円形、楕円形、六角形または別の横断面形状も考えられる。
【００３４】
コネクタ１０は、ここでは図示されていない対応コネクタと差込結合されるまたは組み付けられてコネクタシステムが形成されるように構成されている。
【００３５】
組付け方向に、コネクタ１０は、図示されていない対応コネクタと差込結合されてコネクタシステムが形成される。組付け方向は、軸方向Ａに延在する矢印で表されている。したがって、対応コネクタは、図面においてコネクタ１０の下方に配置されるはずであり、対応コネクタのたとえばピンまたはコンタクトブレードを、下側から（図面において）図示されていないコンタクト開口においてコネクタ１０またはコネクタハウジング１に差し込むことが可能である。
【００３６】
周方向Ｕは、軸方向Ａまわりに延在する。径方向Ｒは、軸方向Ａに対して横向きに延在する。
【００３７】
コネクタハウジング１には、２本の電気ケーブル３０が配置されており、電気ケーブル３０は、図面においてコネクタハウジング１を起点として上方へ延在する。両方のケーブル３０の各々は、たとえば従来慣用の、イーサネットケーブルが接続されたイーサネット・コネクタに認められるように、導電心線３１と、絶縁体３２と、任意選択的に絶縁体３２を包囲する（単心線）シールド３３とを有する。描画された図面において、（単心線）シールド３３を有するケーブル３０が図示されている。シールドは、さらに外側絶縁体３４により包囲されている。
【００３８】
コネクタ１０は、さらシールドプレート２を有し、シールドプレート２は、コネクタハウジング１を、周方向Ｕで完全に包囲し、つまり周に沿ってまたは環状に包囲する。（単心線）シールド３３は、シールドプレート２と導電接続されている（図示されていない）。
【００３９】
コネクタハウジング１は、第１の遠端部７（図面において上側）で、外面１ａに、対応コネクタ（図示されていない）との差込結合状態で遊びを画定するための遊び画定要素５と別の遊び画定要素６とを有する。両方の遊び画定要素５，６は、ここではピン５ａおよび別のピン６ａとして構成されている。これらのピン５ａ，６ａは、周方向Ｕに見てコネクタハウジング１の外面１ａに相互に約１８０°ずらして配置されている。
【００４０】
コネクタハウジング１の端面３または外面１ａに、シールドプレート２は、第１の遠端部７（図面において上側）で、切欠き４ａと別の切欠き４ｂとを有する。
【００４１】
遊び画定要素５および別の遊び画定要素６は、ここではコネクタハウジング１から突出していて、シールドプレート２の切欠き４ａまたは別の切欠き４ｂを通って突出している。
【００４２】
切欠き４ａおよび別の切欠き４ｂを通って突出する両方の遊び画定要素５，６は、コネクタハウジング１と対応する対応コネクタハウジング（図示されていない）との間の遊びまたは押付けを、シールドプレート２の存在にかかわらず調整することを可能にする。換言すると、提案されたコネクタ１０では、ＥＭＣの要求が小さいとき、コネクタハウジング１まわりのシールドプレート２を省くことも可能であり得る。この場合これにより、コネクタの外寸が削減されることになり、これにより遊び画定要素５，６がないと、対応コネクタとの差込結合状態で、場合により大き過ぎる遊びが生じるはずである。しかし図示のコネクタ１０は、差込結合状態で常にわずかな遊びしか有さず、したがってモジュール式にシールドプレート２の有無にかかわらず使用することが可能である。
【００４３】
この原理に基づき、コネクタハウジング１に、第１の遠端部７から離反する側にある第２の遠端部８にも対応する遊び画定要素を取り付けることが可能であり、これにより、軸方向Ａに対して直交方向に、軸方向Ａに、かつ周方向Ｕに遊びまたは押付けが調整される。この場合、全ての遊び画定要素は、コネクタハウジング１から突出してもよく（たとえばピンとして）、かつ／またはコネクタハウジング切欠きとして形成されてもよく、コネクタハウジング切欠きに、対応コネクタハウジングの突出する要素を収容することが可能である。
【００４４】
第２の遠端部８で、シールドプレート２に、第３の切欠き４ｃが形成されており、この第３の切欠き４ｃの後方に、径方向Ｒに見て、ここでは第３の遊び画定要素（符号なし）が位置し、第３の遊び画定要素は、コネクタハウジング切欠きとして形成されている。同様に、第２の遠端部８で、シールドプレート２に、第３の切欠き４ｃに対して周方向Ｕに見て１８０°ずらして第４の切欠き４ｄが配置されている。これに対応して、径方向Ｒに見てその後方に、第４の遊び画定要素（符号なし）が位置し、第４の遊び画定要素は、コネクタハウジング切欠きとして形成されている。
【００４５】
シールドプレート２の切欠き４ａ，４ｂ，４ｃ，４ｄは、本実施の形態では、略長方形または正方形に形成されている。切欠き４ａ，４ｂ，４ｃ，４ｄは、例示したに過ぎないが、遠端部７，８で、スリットとしてシールドプレート２に加工されている。切欠き４ａ，４ｂ，４ｃ，４ｄは、好適にはそれぞれ最大１０ｍｍ2または最大２ｍｍ2、好適には最大１ｍｍ2、特に好適には最大０．５ｍｍ2またはそれどころか最大０．２ｍｍ2の面積を有するので、シールドプレート２のシールド効果は損なわれない。
【００４６】
コネクタ１０は、たとえば最低１００Ｍｂｉｔ／ｓ、好適には最低１ＧＢｉｔ／ｓ、さらに特に好適には最低１００ＧＢｉｔ／ｓのデータレートの支障のない転送に使用することに適しているように構成されている。
【００４７】
代替的にまたは追加的に、コネクタ１０は、たとえば最小１０Ａまたは最小５０Ａまたは最小１００Ａの電流を伝送するための高電流用途で使用することに適しているように構成されている。そのような用途において、電気ケーブル３０の導電心線３１は、たとえば最小１ｍｍ2または最小１０ｍｍ2または最小５０ｍｍ2の横断面を有することが可能である。
【図１】
2019129155.tif 000003
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
相補的な対応コネクタと差込結合する電気コネクタであって、
前記電気コネクタは、
軸方向（Ａ）に沿って延在する少なくとも１本の電気ケーブル（３０）を収容する、コネクタハウジング（１）と、
前記コネクタハウジング（１）を周方向（Ｕ）で軸方向（Ａ）まわりに完全に包囲する、シールドプレート（２）と、
を備える、電気コネクタにおいて、
前記コネクタハウジング（１）は、外面（１ａ）に、前記対応コネクタとの差込結合状態での遊びを画定する遊び画定要素（５）を有し、
前記シールドプレート（２）は、切欠き（４ａ）を有し、
前記遊び画定要素（５）は、前記切欠き（４ａ）を通って前記コネクタハウジング（１）から突出している、または
前記切欠き（４ａ）に接している前記遊び画定要素（５）は、コネクタハウジング切欠きとして前記コネクタハウジング（１）に形成されている
ことを特徴とする、電気コネクタ。
【請求項２】
前記電気コネクタ（１０）は、前記コネクタハウジング（１）に配置されたシールドされた少なくとも１本の電気ケーブル（３０）を有する、請求項１記載の電気コネクタ。
【請求項３】
前記コネクタハウジング（１）は、前記外面（１ａ）に、前記対応コネクタとの差込結合状態で遊びを画定する別の遊び画定要素（６）を有し、
前記シールドプレート（２）は、別の切欠き（４ｂ）を有し、
前記別の遊び画定要素（６）は、前記別の切欠き（４ｂ）を通って前記コネクタハウジング（１）から突出している、または
前記別の切欠き（４ｂ）に接している前記別の遊び画定要素（６）は、別のコネクタハウジング切欠きとして前記コネクタハウジング（１）に形成されている、請求項１または２記載の電気コネクタ。
【請求項４】
前記遊び画定要素（５）は、軸方向（Ａ）に沿って見て、前記コネクタハウジング（１）の第１の遠端部（７）に配置されている、請求項３記載の電気コネクタ。
【請求項５】
前記別の遊び画定要素（６）は、前記第１の遠端部（７）に配置されている、請求項４記載の電気コネクタ。
【請求項６】
前記シールドプレート（２）は、前記第１の遠端部（７）とは反対の側の第２の遠端部（８）に、前記電気コネクタ（１０）と接続可能な対応コネクタの対応コネクタ遊び画定要素を収容するために、少なくとも１つの第３の切欠き（４ｃ）を有する、請求項４または５記載の電気コネクタ。
【請求項７】
前記別の遊び画定要素は、周方向（Ｕ）に見て前記遊び画定要素に対して相対的に１６０°〜２００°ずらして前記コネクタハウジング（１）に配置されている、請求項３から６までのいずれか１項記載の電気コネクタ。
【請求項８】
前記シールドプレート（２）の前記切欠き（４ａ）は、前記遊び画定要素（５）を密接して包囲している、請求項３から７までのいずれか１項記載の電気コネクタ。
【請求項９】
前記シールドプレート（２）の前記別の切欠き（４ｂ）は、前記別の遊び画定要素（６）を密接して包囲している、請求項８記載の電気コネクタ。
【請求項１０】
前記コネクタハウジング（１）は、プラスチックまたは非導電性のプラスチックから形成されている、請求項１から９までのいずれか１項記載の電気コネクタ。
【外国語明細書】
2019129155.tif 000004
2019129155.tif 000005
2019129155.tif 000006
2019129155.tif 000007
2019129155.tif 000008
2019129155.tif 000009
2019129155.tif 000010
2019129155.tif 000011
2019129155.tif 000012
2019129155.tif 000013
2019129155.tif 000014
2019129155.tif 000015
2019129155.tif 000016
2019129155.tif 000017